(57)【要約】【課題】呼処理を継続しつつ３つの呼処理装置間で加入者を移行させる。【解決手段】中継系ＳＩＰサーバ１は、呼を加入者系ＳＩＰサーバ２ｃ転送する。加入者系ＳＩＰサーバ２ｃは、宛先の加入者の加入者データ内のフラグ（ｆ１）がオフなのでフラグ（ｆ２）がオンか否かを判定し、オンなので加入者データに設定された加入者系ＳＩＰサーバ２ｂに呼を転送する。加入者系ＳＩＰサーバ２ｂは加入者データ内のフラグ（ｆ１）がオフなので、フラグ（ｆ２）がオンか否かを判定し、オンなので加入者データに設定された加入者系ＳＩＰサーバ２ａに呼が転送されるように、呼を中継系ＳＩＰサーバ１に転送する。中継系ＳＩＰサーバ１は呼を加入者系ＳＩＰサーバ２ａに転送する。加入者系ＳＩＰサーバ２ａは加入者データ内のフラグ（ｆ１）がオンなので加入者データに設定された加入者収容ルータ３ａを介して、端末装置４ａに呼を転送する。【選択図】図１
2011041151.tif 000002
【特許請求の範囲】
【請求項１】
第１および第２の呼処理装置を含み、第３の呼処理装置とともに使用される呼処理システムであって、
前記第１の呼処理装置は、
加入者ごとに、該加入者に使用される端末装置に第１の呼処理装置から呼を送信するための第１データと、該加入者に使用される端末装置に第２の呼処理装置から呼を送信するための第２データと、該加入者に使用される端末装置に第１の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部と、
第１の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第２の呼処理装置に転送する信号送信部と
を備え、
前記第２の呼処理装置は、
加入者ごとに、該加入者に使用される端末装置に第２の呼処理装置から呼を送信するための第１データと、該加入者に使用される端末装置に第３の呼処理装置から呼を送信するための第２データと、該加入者に使用される端末装置に第２の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部と、
第２の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第３の呼処理装置に転送する信号送信部と
を備えることを特徴とする呼処理システム。
【請求項２】
第１および第２の呼処理装置を含み、第３の呼処理装置とともに使用される呼処理システムにおける第１の呼処理装置であって、
前記第２の呼処理装置は、
加入者ごとに、該加入者に使用される端末装置に第２の呼処理装置から呼を送信するための第１データと、該加入者に使用される端末装置に第３の呼処理装置から呼を送信するための第２データと、該加入者に使用される端末装置に第２の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部と、
第２の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第３の呼処理装置に転送する信号送信部と
を備え、
前記第１の呼処理装置は、
加入者ごとに、該加入者に使用される端末装置に第１の呼処理装置から呼を送信するための第１データと、該加入者に使用される端末装置に第２の呼処理装置から呼を送信するための第２データと、該加入者に使用される端末装置に第１の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部と、
第１の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第２の呼処理装置に転送する信号送信部と
を備えることを特徴とする呼処理装置。
【請求項３】
第１および第２の呼処理装置を含み、第３の呼処理装置とともに使用される呼処理システムにおける第２の呼処理装置であって、
前記第１の呼処理装置は、
加入者ごとに、該加入者に使用される端末装置に第１の呼処理装置から呼を送信するための第１データと、該加入者に使用される端末装置に第２の呼処理装置から呼を送信するための第２データと、該加入者に使用される端末装置に第１の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部と、
第１の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第２の呼処理装置に転送する信号送信部と
を備え、
前記第２の呼処理装置は、
加入者ごとに、該加入者に使用される端末装置に第２の呼処理装置から呼を送信するための第１データと、該加入者に使用される端末装置に第３の呼処理装置から呼を送信するための第２データと、該加入者に使用される端末装置に第２の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部と、
第２の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第３の呼処理装置に転送する信号送信部と
を備えることを特徴とする呼処理装置。
【請求項４】
第１および第２の呼処理装置を含み、第３の呼処理装置とともに使用される呼処理システムにおける呼処理方法であって、
前記第１の呼処理装置は、
加入者ごとに、該加入者に使用される端末装置に第１の呼処理装置から呼を送信するための第１データと、該加入者に使用される端末装置に第２の呼処理装置から呼を送信するための第２データと、該加入者に使用される端末装置に第１の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部を備え、
前記第２の呼処理装置は、
加入者ごとに、該加入者に使用される端末装置に第２の呼処理装置から呼を送信するための第１データと、該加入者に使用される端末装置に第３の呼処理装置から呼を送信するための第２データと、該加入者に使用される端末装置に第２の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部を備え、
前記呼処理方法は、
前記第１の呼処理装置の信号送信部が、
第１の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第２の呼処理装置に転送し、
前記第２の呼処理装置の信号送信部が、
第２の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第３の呼処理装置に転送する
ことを特徴とする呼処理方法。
【発明の詳細な説明】
【技術分野】
【０００１】
本発明は、呼処理システム、呼処理装置および呼処理方法に関するものである。
【背景技術】
【０００２】
通信ネットワークにおいて、サービスの機能や品質の向上を目的として、ある網（Ｂ網）から別の網（Ａ網）に加入者を移行させることがある。この場合、呼処理を継続させながら加入者を移行することが重要となる。
【先行技術文献】
【特許文献】
【０００３】
【特許文献１】特開２００２−２５２７００号公報
【発明の概要】
【発明が解決しようとする課題】
【０００４】
しかし、Ａ網の中においても、ある呼処理装置（元サーバ）から別の呼処理装置（先サーバ）へ加入者を移行させることがある。加入者は、最終的には先サーバを使用することととなるのだが、移行途中においては、元サーバやＢ網の呼処理装置（他サーバ）を使用し、呼処理を継続させることが重要である。
【０００５】
本発明は、上記の課題に鑑みてなされたものであり、その目的とするところは、呼処理を継続しつつ３つの呼処理装置間で加入者を移行できる呼処理システム、呼処理装置および呼処理方法を提供することにある。
【課題を解決するための手段】
【０００６】
第１の本発明に係る呼処理システムは、第１および第２の呼処理装置を含み、第３の呼処理装置とともに使用される呼処理システムであって、前記第１の呼処理装置は、加入者ごとに、該加入者に使用される端末装置に第１の呼処理装置から呼を送信するための第１データと、該加入者に使用される端末装置に第２の呼処理装置から呼を送信するための第２データと、該加入者に使用される端末装置に第１の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部と、第１の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第２の呼処理装置に転送する信号送信部とを備え、前記第２の呼処理装置は、加入者ごとに、該加入者に使用される端末装置に第２の呼処理装置から呼を送信するための第１データと、該加入者に使用される端末装置に第３の呼処理装置から呼を送信するための第２データと、該加入者に使用される端末装置に第２の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部と、第２の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第３の呼処理装置に転送する信号送信部とを備えることを特徴とする。
【０００７】
第２の本発明に係る呼処理装置は、第１および第２の呼処理装置を含み、第３の呼処理装置とともに使用される呼処理システムにおける第１の呼処理装置であって、前記第２の呼処理装置は、加入者ごとに、該加入者に使用される端末装置に第２の呼処理装置から呼を送信するための第１データと、該加入者に使用される端末装置に第３の呼処理装置から呼を送信するための第２データと、該加入者に使用される端末装置に第２の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部と、第２の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第３の呼処理装置に転送する信号送信部とを備え、前記第１の呼処理装置は、加入者ごとに、該加入者に使用される端末装置に第１の呼処理装置から呼を送信するための第１データと、該加入者に使用される端末装置に第２の呼処理装置から呼を送信するための第２データと、該加入者に使用される端末装置に第１の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部と、第１の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第２の呼処理装置に転送する信号送信部とを備えることを特徴とする。
【０００８】
第３の本発明に係る呼処理装置は、第１および第２の呼処理装置を含み、第３の呼処理装置とともに使用される呼処理システムにおける第２の呼処理装置であって、前記第１の呼処理装置は、加入者ごとに、該加入者に使用される端末装置に第１の呼処理装置から呼を送信するための第１データと、該加入者に使用される端末装置に第２の呼処理装置から呼を送信するための第２データと、該加入者に使用される端末装置に第１の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部と、第１の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第２の呼処理装置に転送する信号送信部とを備え、前記第２の呼処理装置は、加入者ごとに、該加入者に使用される端末装置に第２の呼処理装置から呼を送信するための第１データと、該加入者に使用される端末装置に第３の呼処理装置から呼を送信するための第２データと、該加入者に使用される端末装置に第２の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部と、第２の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第３の呼処理装置に転送する信号送信部とを備えることを特徴とする。
【０００９】
第４の本発明に係る呼処理方法は、第１および第２の呼処理装置を含み、第３の呼処理装置とともに使用される呼処理システムにおける呼処理方法であって、前記第１の呼処理装置は、加入者ごとに、該加入者に使用される端末装置に第１の呼処理装置から呼を送信するための第１データと、該加入者に使用される端末装置に第２の呼処理装置から呼を送信するための第２データと、該加入者に使用される端末装置に第１の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部を備え、前記第２の呼処理装置は、加入者ごとに、該加入者に使用される端末装置に第２の呼処理装置から呼を送信するための第１データと、該加入者に使用される端末装置に第３の呼処理装置から呼を送信するための第２データと、該加入者に使用される端末装置に第２の呼処理装置から呼を送信すべきときには有効に設定される第１フラグと、該加入者に使用される端末装置に複数の呼処理装置から呼を送信可能なときには有効に設定される第２フラグと、を含む加入者データが記憶される加入者データ記憶部を備え、前記呼処理方法は、前記第１の呼処理装置の信号送信部が、第１の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第２の呼処理装置に転送し、前記第２の呼処理装置の信号送信部が、第２の呼処理装置で受信された呼の宛先に対応する前記加入者データ記憶部における加入者データ内の第１フラグが有効か否かを判定し有効ならば第１データに基づいて端末装置に呼を転送し、有効でないなら第２フラグが有効か否かを判定し有効ならば第２データに基づいて呼を第３の呼処理装置に転送することを特徴とする。
【発明の効果】
【００１０】
本発明によれば、呼処理を継続しつつ３つの呼処理装置間で加入者を移行することができる。
【図面の簡単な説明】
【００１１】
【図１】本実施の形態に係る呼処理システムの構成を示す接続図である。
【図２】加入者系ＳＩＰサーバ２ｃの概略構成を示すブロック図である。
【図３】加入者系ＳＩＰサーバ２ｂの概略構成を示すブロック図である。
【図４】呼処理システムの動作を説明するためのシーケンス図である。
【発明を実施するための形態】
【００１２】
以下、本発明の実施の形態を図面を参照して説明する。
【００１３】
図１は、本実施の形態に係る呼処理システムの構成を示す接続図である。呼処理システムは、Ｓｅｓｓｉｏｎ  Ｉｎｉｔｉａｔｉｏｎ  Ｐｒｏｔｏｃｏｌ（以下、ＳＩＰと略す）という規約に基づいて通信を行う通信システムであり、中継系ＳＩＰサーバ１と、呼処理装置である加入者系ＳＩＰサーバ２ａ、２ｂおよび２ｃと、加入者収容ルータ３ａおよび３ｂと、端末装置４ａ、４ｂおよび図示しない端末装置とを有する。各端末装置は、ユーザ（加入者ともいう）が操作する端末装置である。ここでは、端末装置４ａを使用する加入者を加入者Ｕという。
【００１４】
加入者系ＳＩＰサーバ２ｂ、加入者系ＳＩＰサーバ２ｃ、加入者収容ルータ３ｂ、端末装置４ｂ等は、Ａ網に属し、加入者系ＳＩＰサーバ２ａ、加入者収容ルータ３ａ、端末装置４ａ等は、Ｂ網に属している。
【００１５】
加入者系ＳＩＰサーバ２ｂは、中継系ＳＩＰサーバ１に接続される。
【００１６】
加入者系ＳＩＰサーバ２ｂおよび２ｃは中継ルータ（図示せず）を介して相互に接続され、かつ、中継系ＳＩＰサーバ１に接続される。
【００１７】
加入者収容ルータ３ａは加入者系ＳＩＰサーバ２ａに接続され、加入者収容ルータ３ｂは加入者系ＳＩＰサーバ２ａおよび２ｂに接続される。端末装置４ａは加入者収容ルータ３ａに接続され、端末装置４ｂは加入者収容ルータ３ｂに接続される。各加入者収容ルータには他の端末装置も接続される。
【００１８】
中継系ＳＩＰサーバ１は、ＳＩＰによる中継系のセッション制御機能、他のネットワークとの接続制御機能を含むサーバである。加入者系ＳＩＰサーバ２ｂおよび２ｃは、ＳＩＰによる加入者系のセッション制御機能を含むサーバである。加入者収容ルータ３ａは端末装置４ａ等を収容するルータであり、加入者収容ルータ３ｂは端末装置４ｂ等を収容するルータである。
【００１９】
Ａ網で、加入者系ＳＩＰサーバ２ｂを使用する端末装置の数が定常的に増加すると、新たに加入者系ＳＩＰサーバ２ｃを導入する必要が生じ、その際は加入者系ＳＩＰサーバ２ｂに収容されていた加入者、例えば加入者収容ルータ３ｂ配下の加入者を加入者系ＳＩＰサーバ２ｃに移行する必要がある。加入者ＵがＡ網へ移行する際の、加入者Ｕなど宛の呼については、一旦は加入者系ＳＩＰサーバ２ｂを使用するが、あるタイミングからは、加入者系ＳＩＰサーバ２ｃを使用するようになっていることとする。
【００２０】
図２は、加入者系ＳＩＰサーバ２ｃの概略構成を示すブロック図である。
【００２１】
加入者系ＳＩＰサーバ２ｃは、呼を受信する受信部２１と、呼を送信する送信部２２と、加入者データを記憶する加入者データ記憶部２３を備える。
【００２２】
加入者データ記憶部２３は、加入者ごとに加入者データを記憶する。加入者データは、加入者に関するサービス関連情報など（不図示）を含む。さらに、ここでは、加入者Ｕ宛の呼（つまり加入者Ｕに割り当てられた電話番号で宛先が示された呼であり、以下、同じ。）については、加入者系ＳＩＰサーバ２ｂを介して、端末装置４ｂで受信させるようにしていたのだが、加入者系ＳＩＰサーバ２ｃを介して受信させるようにする場合、加入者Ｕのような対象の加入者の加入者データについては、さらに、加入者収容ルータ３ｂを示す識別情報（図では「ルータ３ｂ」と略記）と、加入者系ＳＩＰサーバ２ｂを示す識別情報（図では「サーバ２ｂ」と略記）と、フラグｆ１と、フラグｆ２とが含まれる。
【００２３】
フラグｆ１は、加入者に使用される端末装置に加入者系ＳＩＰサーバ２ｃから呼を送信すべきときにはオンに設定される。フラグｆ１は、初期設定ではオフになっている。フラグｆ２は、加入者に使用される端末装置に複数の加入者系ＳＩＰサーバから呼を送信可能なときにはオンに設定される。例えば、端末装置４ｂには、加入者系ＳＩＰサーバ２ｂ、２ｃから呼を送信可能なので、フラグｆ２はオンになっている。
【００２４】
図３は、加入者系ＳＩＰサーバ２ｂの概略構成を示すブロック図である。
【００２５】
加入者系ＳＩＰサーバ２ｂは、呼を受信する受信部２１と、呼を送信する送信部２２と、加入者データを記憶する加入者データ記憶部２３を備える。
【００２６】
加入者データ記憶部２３は、加入者ごとに加入者データを記憶する。加入者データは、加入者に関するサービス関連情報など（不図示）を含む。さらに、ここでは、加入者Ｕ宛の呼については、加入者系ＳＩＰサーバ２ａを介して、端末装置４ａで受信させるようにしていたのだが、加入者ＵがＡ網の使用をやめて、Ｂ網を使用することで、つまりは、Ｂ網に属する端末装置４ｂを使用することで、呼を加入者系ＳＩＰサーバ２ｂを介して端末装置４ｂで受信させるようにする場合、加入者Ｕのような対象の加入者の加入者データについては、さらに、加入者収容ルータ３ｂを示す識別情報（図では「ルータ３ｂ」と略記）と、加入者系ＳＩＰサーバ２ａを示す識別情報（図では「サーバ２ａ」と略記）と、フラグｆ１と、フラグｆ２とが含まれる。
【００２７】
フラグｆ１は、加入者に使用される端末装置に加入者系ＳＩＰサーバ２ｂから呼を送信すべきときにはオンに設定される。フラグｆ１は、初期設定ではオフになっている。フラグｆ２は、加入者に使用される端末装置に複数の加入者系ＳＩＰサーバから呼を送信可能なときにはオンに設定される。例えば、端末装置４ｂには、加入者系ＳＩＰサーバ２ｂ、２ｃから呼を送信可能であり、端末装置４ａには加入者系ＳＩＰサーバ２ａから呼を送信可能なので、フラグｆ２はオンになっている。
【００２８】
（呼処理システムの動作）
次に、呼処理システムの動作を説明する。
【００２９】
例えば、加入者Ｕは、従前は、Ｂ網の運営する通信事業者に料金を支払っており、これにより、端末装置４ａは、例えば、Ａ網に属する端末装置から送信される呼を、Ｂ網に属する加入者系ＳＩＰサーバ２ａ、加入者収容ルータ３ａを介して受信する。
【００３０】
この際の動作を図１を参照して説明する。
【００３１】
中継系ＳＩＰサーバ１に到来した呼は、図１のルートＲ０を通って、端末装置４ａで受信される。
【００３２】
そのためには、予め中継系ＳＩＰサーバ１には、加入者Ｕ宛の呼（ＩＮＶ）を受信したなら、その呼を加入者系ＳＩＰサーバ２ａに転送するようにルーチングの設定がなされる。
【００３３】
また、予め加入者系ＳＩＰサーバ２ａには、加入者Ｕ宛の呼（ＩＮＶ）を受信したなら、その呼を加入者収容ルータ３ａに転送するようにルーチングの設定がなされる。
【００３４】
また、予め加入者系ＳＩＰサーバ２ａは、図示しないが、加入者Ｕに関するサービス関連情報などを含む加入者データが設けられ、その加入者データにはフラグ（フラグｆ１という）が設けられる。フラグｆ１は初期設定ではオフになっている。
【００３５】
端末装置４ａは、電源オン時などに、レジスタ信号（ＲＥＧ）を加入者収容ルータ３ａに送信する。加入者収容ルータ３ａは、レジスタ信号（ＲＥＧ）を加入者系ＳＩＰサーバ２ａに送信する。加入者系ＳＩＰサーバ２ａは、これにより、加入者Ｕに関する加入者データにおいてフラグｆ１をオンにする。
【００３６】
中継系ＳＩＰサーバ１は、加入者Ｕ宛の呼（ＩＮＶ）を受信したなら、ルーチングの設定に基づき、その呼を加入者系ＳＩＰサーバ２ａに転送する。
【００３７】
加入者系ＳＩＰサーバ２ａは、加入者Ｕ宛の呼（ＩＮＶ）を受信したなら、加入者Ｕに関する加入者データを参照し、フラグｆ１がオンならば、ルーチングの設定に基づき、加入者収容ルータ３ａに呼を転送する。
【００３８】
加入者収容ルータ３ａは、加入者Ｕ宛の呼（ＩＮＶ）を受信したなら、端末装置４ａに呼を転送する。
【００３９】
次に、加入者Ｕが、Ａ網の使用をやめて、Ｂ網を使用する場合の動作を説明する。加入者Ｕは、端末装置４ａの使用を止めて、端末装置４ｂを使用することとなる。
【００４０】
まず、加入者Ｕに関するサービス関連情報などが、加入者系ＳＩＰサーバ２ａから、図示しない保守運用装置を経由し、加入者系ＳＩＰサーバ２ｂ、２ｃに移され、設定がなされる。
【００４１】
つまり、図２に示すように、加入者系ＳＩＰサーバ２ｃの加入者データ記憶部２３に、加入者Ｕに関するサービス関連情報などを含む加入者データが生成され、この加入者データにさらに、加入者収容ルータ３ｂを示す識別情報と、加入者系ＳＩＰサーバ２ｂを示す識別情報と、フラグｆ１と、ｆ２とが格納される。フラグｆ１、ｆ２は初期設定ではそれぞれオフ、オンになっている。
【００４２】
また、図３に示すように、加入者系ＳＩＰサーバ２ｂの加入者データ記憶部２３に、加入者Ｕに関するサービス関連情報などを含む加入者データが生成され、この加入者データにさらに、加入者収容ルータ３ｂを示す識別情報と、加入者系ＳＩＰサーバ２ａを示す識別情報と、フラグｆ１と、ｆ２とが格納される。フラグｆ１、ｆ２は初期設定ではそれぞれオフ、オンになっている。
【００４３】
また、中継系ＳＩＰサーバ１には、加入者Ｕ宛の呼（ＩＮＶ）を受信したなら、その呼を加入者系ＳＩＰサーバ２ｃに転送するようにルーチングの設定変更がなされる。
【００４４】
また、加入者系ＳＩＰサーバ２ｂには、加入者Ｕ宛の呼（ＩＮＶ）を受信したなら、その呼を加入者系ＳＩＰサーバ２ｃに転送するようにルーチングの設定がなされる。
【００４５】
また、加入者系ＳＩＰサーバ２ｃには、加入者Ｕ宛の呼（ＩＮＶ）を受信したなら、その呼を加入者収容ルータ３ｂに転送するようにルーチングの設定がなされる。
【００４６】
また、加入者系ＳＩＰサーバ２ｃには、保守運用装置を介して、ＳＲＮ（Server Routing Ｎumber）の設定がなされる。つまり、加入者系ＳＩＰサーバ２ｃから送信される呼が戻らないように、ＳＲＮと称される番号でルーチング先を加入者系ＳＩＰサーバ２ｂに指定するような設定がなされる。
【００４７】
さて、このようにＡ網で設定がなされた後であっても端末装置４ｂは使用されず、依然として、端末装置４ａが使用されることがある。この場合であっても、例えば、端末装置４ａで呼が受信される。
【００４８】
この際、中継系ＳＩＰサーバ１に到来した呼は、図１のルートＲ１を通って、端末装置４ａで受信される。
【００４９】
まず、図４のシーケンス図において、中継系ＳＩＰサーバ１は、加入者Ｕ宛の呼（ＩＮＶ）を受信したなら、ルーチングの設定に基づき、その呼を加入者系ＳＩＰサーバ２ｃ転送する（Ｓ１）。
【００５０】
加入者系ＳＩＰサーバ２ｃでは、受信部２１が呼を受信し、その呼を送信部２２に渡す。送信部２２は、まず、加入者データ記憶部２３に記憶された加入者Ｕに関する加入者データにおいてフラグｆ１がオンか否かを判定する（Ｓ３）。フラグｆ１はオフなので、次に、送信部２２は、フラグｆ２がオンか否かを判定する（Ｓ５）。フラグｆ２はオンなので、送信部２２は、加入者Ｕに関する加入者データに設定された加入者系ＳＩＰサーバ２ｂに呼を転送する（Ｓ７）。なお、加入者系ＳＩＰサーバ２ｂには、加入者Ｕ宛の呼を加入者系ＳＩＰサーバ２ｃに転送するようにルーチングの設定がなされているので、このように呼が加入者系ＳＩＰサーバ２ｃに転送されないように（戻らないように）、加入者系ＳＩＰサーバ２ｃはＳＲＮと称される番号でルーチング先を加入者系ＳＩＰサーバ２ｂに指定する。
【００５１】
加入者系ＳＩＰサーバ２ｂでは、受信部２１が呼を受信し、その呼を送信部２２に渡す。送信部２２は、通常は、ルーチングの設定に基づき、その呼を直ちに加入者系ＳＩＰサーバ２ｃに送信する（戻す）のだが、ＳＲＮにより、呼を戻さず、まず、加入者データ記憶部２３に記憶された加入者Ｕに関する加入者データにおいてフラグｆ１がオンか否かを判定する（Ｓ９）。フラグｆ１はオフなので、次に、送信部２２は、フラグｆ２がオンか否かを判定する（Ｓ１３）。フラグｆ２はオンなので、送信部２２は、加入者Ｕに関する加入者データに設定された加入者系ＳＩＰサーバ２ａに呼が転送されるように、呼を中継系ＳＩＰサーバ１に転送する（Ｓ１５）。
【００５２】
ここでは、加入者系ＳＩＰサーバ２ｂには、予め、加入者系ＳＩＰサーバ２ａに呼を転送するときは、呼（この場合、３０１応答という）を中継系ＳＩＰサーバ１に転送するように設定されており、この設定により、送信部２２は、呼（３０１応答）を中継系ＳＩＰサーバ１に転送する（Ｓ１５）。
【００５３】
中継系ＳＩＰサーバ１は、加入者Ｕ宛の呼（３０１応答）を受信したなら、その呼を加入者系ＳＩＰサーバ２ａに転送する（Ｓ１７）。ここでは、中継系ＳＩＰサーバ１には、予め、３０１応答を受信したときは、呼加入者系ＳＩＰサーバ２ａに転送するように設定されており、この設定により、中継系ＳＩＰサーバ１は、呼を加入者系ＳＩＰサーバ２ａに転送する（Ｓ１７）。
【００５４】
加入者系ＳＩＰサーバ２ａは、加入者Ｕ宛の呼（ＩＮＶ）を受信したなら、加入者Ｕに関する加入者データを参照し、フラグｆ１がオンなので、加入者データに設定された加入者収容ルータ３ａを介して、端末装置４ａに呼を転送する（Ｓ１９）。
【００５５】
次に、端末装置４ｂが使用開始され、加入者Ｕ宛の呼が端末装置４ｂで受信される際の動作を説明する。
【００５６】
この際、中継系ＳＩＰサーバ１に到来した呼は、図１のルートＲ２を通って、端末装置４ｂで受信される。
【００５７】
端末装置４ｂは、電源オン時などに、レジスタ信号（ＲＥＧ）を加入者収容ルータ３ｂに送信する。加入者収容ルータ３ｂは、端末装置４ｂから送信されたレジスタ信号（ＲＥＧ）については、加入者系ＳＩＰサーバ２ｃの使用開始時期までは、加入者系ＳＩＰサーバ２ｂに送信する。加入者系ＳＩＰサーバ２ｂは、これにより、加入者Ｕに関する加入者データにおいてフラグｆ１をオンにする。
【００５８】
図４において、前述のように、加入者系ＳＩＰサーバ２ｃは加入者Ｕ宛の呼を加入者系ＳＩＰサーバ２ｂに呼を転送し（Ｓ７）、その際、ルーチング先を加入者系ＳＩＰサーバ２ｂに指定する。
【００５９】
加入者系ＳＩＰサーバ２ｂでは、受信部２１が呼を受信し、その呼を送信部２２に渡す。送信部２２は、ＳＲＮにより、呼を加入者系ＳＩＰサーバ２ｃに戻さず、まず、加入者データ記憶部２３に記憶された加入者Ｕに関する加入者データにおいてフラグｆ１がオンか否かを判定する（Ｓ９）。フラグｆ１はオンなので、送信部２２は、加入者Ｕに関する加入者データに設定された加入者収容ルータ３ｂに呼を転送し、加入者収容ルータ３ｂは、呼を端末装置４ｂに転送する（Ｓ２１）。
【００６０】
次に、加入者Ｕ宛の呼を、加入者系ＳＩＰサーバ２ｃを介して、端末装置４ｂで受信させる際の動作を説明する。この際、中継系ＳＩＰサーバ１に到来した呼は、図１のルートＲ３を通って、端末装置４ｂで受信される。
【００６１】
端末装置４ｂは、電源オン時などに、レジスタ信号（ＲＥＧ）を加入者収容ルータ３ｂに送信する。加入者収容ルータ３ｂは、端末装置４ｂから送信されたレジスタ信号（ＲＥＧ）については、加入者系ＳＩＰサーバ２ｃの使用開始時期からは、加入者系ＳＩＰサーバ２ｃに送信する。加入者系ＳＩＰサーバ２ｃは、これにより、加入者Ｕに関する加入者データにおいてフラグｆ１をオンにする。一方、加入者系ＳＩＰサーバ２ｂは、レジスタ信号（ＲＥＧ）が送信されなくなるので、加入者Ｕに関する加入者データにおいてフラグｆ１をオフにする。
【００６２】
図４において、中継系ＳＩＰサーバ１は、加入者Ｕ宛の呼（ＩＮＶ）を受信したなら、ルーチングの設定に基づき、その呼を加入者系ＳＩＰサーバ２ｃ転送する（Ｓ１）。
【００６３】
加入者系ＳＩＰサーバ２ｃでは、受信部２１が呼を受信し、その呼を送信部２２に渡す。送信部２２は、まず、加入者データ記憶部２３に記憶された加入者Ｕに関する加入者データにおいてフラグｆ１がオンか否かを判定する（Ｓ３）。フラグｆ１はオンなので、送信部２２は、加入者Ｕに関する加入者データに設定された加入者収容ルータ３ｂに呼を転送し、加入者収容ルータ３ｂは、呼を端末装置４ｂに転送する（Ｓ３１）。
【００６４】
なお、加入者系ＳＩＰサーバ２ｃは、例えば、加入者Ｕのような対象の全ての加入者データにおいてフラグｆ１をオンにしたら、フラグｆ２を削除する。なお、削除後においても、フラグｆ１がオンならば、例えば、加入者Ｕ宛の呼は、図１のルートＲ３を通り、加入者系ＳＩＰサーバ２ｃを介して、端末装置４ｂで受信される。
【００６５】
この際の動作を説明する。
【００６６】
図４において、中継系ＳＩＰサーバ１は、加入者Ｕ宛の呼（ＩＮＶ）を受信したなら、ルーチングの設定に基づき、その呼を加入者系ＳＩＰサーバ２ｃ転送する（Ｓ１）。
【００６７】
加入者系ＳＩＰサーバ２ｃでは、受信部２１が呼を受信し、その呼を送信部２２に渡す。送信部２２は、まず、加入者データ記憶部２３に記憶された加入者Ｕに関する加入者データにおいてフラグｆ１がオンか否かを判定する（Ｓ３）。フラグｆ１はオンなので、送信部２２は、ルーチングの設定に基づき、その呼を直ちに加入者収容ルータ３ｂに転送し、加入者収容ルータ３ｂは、呼を端末装置４ｂに転送する。
【００６８】
なお、加入者系ＳＩＰサーバ２ｃは、例えば、端末装置が取り外され、レジスタ信号（ＲＥＧ）が送信されなくなると、該当の加入者データにおいてフラグｆ１をオフにする。これにより、加入者系ＳＩＰサーバ２ｃでは、該当の加入者宛の呼が受信された際に、フラグｆ１がオフと判定され、フラグｆ２は削除されているので、エラー応答がなされる。
【００６９】
さて、これまでの説明では、加入者Ｕを加入者系ＳＩＰサーバ２ａから加入者系ＳＩＰサーバ２ｂを経て加入者系ＳＩＰサーバ２ｃへ移行する場合について説明したが、加入者系ＳＩＰサーバ２ａを使用していた別の加入者を加入者系ＳＩＰサーバ２ｂに移行し、加入者系ＳＩＰサーバ２ｃには移行しないようにしてもよい。この場合、その加入者について、中継系ＳＩＰサーバ１には、呼を加入者系ＳＩＰサーバ２ｂに転送するようにルーチングの設定変更を行い、加入者系ＳＩＰサーバ２ｂには、その呼を加入者系ＳＩＰサーバ２ｃに転送するようにルーチングの設定を行い、加入者系ＳＩＰサーバ２ｃには加入者データは必要ない。
【００７０】
また、当初から加入者系ＳＩＰサーバ２ｂを使用していた別の加入者を加入者系ＳＩＰサーバ２ｃに移行させてもよい。この場合、その加入者について、中継系ＳＩＰサーバ１には、呼を加入者系ＳＩＰサーバ２ｃに転送するようにルーチングの設定変更を行い、加入者系ＳＩＰサーバ２ｂには、その呼を加入者系ＳＩＰサーバ２ｃに転送するようにルーチングの設定を行い、加入者系ＳＩＰサーバ２ｃには、その呼を加入者収容ルータ３ｂに転送するようにルーチングの設定を行い、加入者系ＳＩＰサーバ２ｂには加入者データは必要ない。
【００７１】
以上説明したように、本実施の形態に係る呼処理システムは、加入者系ＳＩＰサーバ２ｃ、２ｂ（それぞれ第１、第２の呼処理装置ともいう）を含み、加入者系ＳＩＰサーバ２ａ（第３の呼処理装置ともいう）とともに使用される呼処理システムであって、第１の呼処理装置は、加入者ごとに、加入者収容ルータ３ｂを示す識別情報（つまり該加入者に使用される端末装置に第１の呼処理装置から呼を送信するための第１データ）と、加入者系ＳＩＰサーバ２ｂを示す識別情報（つまり該加入者に使用される端末装置に第２の呼処理装置から呼を送信するための第２データ）と、フラグｆ１（つまり該加入者に使用される端末装置に第１の呼処理装置から呼を送信すべきときには有効（オン）に設定される第１フラグ）と、フラグｆ２（つまり該加入者に使用される端末装置に複数の呼処理装置から呼を送信可能なときには有効（オン）に設定される第２フラグ）と、を含む加入者データが記憶される加入者データ記憶部２３と、第１の呼処理装置で受信された呼の宛先に対応する加入者データ記憶部２３における加入者データ内の第１フラグが有効か否かを判定し（Ｓ１）有効ならば第１データに基づいて端末装置に呼を転送し（Ｓ３１）、有効でないなら第２フラグが有効か否かを判定し（Ｓ５）有効ならば第２データに基づいて呼を第２の呼処理装置に転送する（Ｓ７）信号送信部（送信部２２）とを備え、第２の呼処理装置は、加入者ごとに、加入者収容ルータ３ｂを示す識別情報（つまり該加入者に使用される端末装置に第２の呼処理装置から呼を送信するための第１データ）と、加入者系ＳＩＰサーバ２ａを示す識別情報（つまり該加入者に使用される端末装置に第３の呼処理装置から呼を送信するための第２データ）と、フラグｆ１（つまり該加入者に使用される端末装置に第２の呼処理装置から呼を送信すべきときには有効（オン）に設定される第１フラグ）と、フラグｆ２（つまり該加入者に使用される端末装置に複数の呼処理装置から呼を送信可能なときには有効（オン）に設定される第２フラグ）と、を含む加入者データが記憶される加入者データ記憶部２３と、第２の呼処理装置で受信された呼の宛先に対応する加入者データ記憶部２３における加入者データ内の第１フラグが有効か否かを判定し（Ｓ９）有効ならば第１データに基づいて端末装置に呼を転送し（Ｓ２１）、有効でないなら第２フラグが有効か否かを判定し（Ｓ１３）有効ならば第２データに基づいて呼を第３の呼処理装置に転送する（Ｓ１５）信号送信部（送信部２２）とを備えるので、端末装置４ａから端末装置４ｂのような使用切り替え時期についての制約がなく、よって、Ａ網の使用をやめて、Ｂ網を使用する加入者にとっては大変便利であるとともに、加入者Ｕなどの対象の加入者宛の呼については、第２の呼処理装置（２ｂ）から第１の呼処理装置（２ｃ）を使用するように切り替える上で、端末装置４ｂなどの使用ができない期間が生じず、対象の加入者にとっては大変便利である。
【００７２】
また、端末装置４ａから端末装置４ｂのような使用切り替え時期についての制約がないので、Ｂ網を運営する通信事業者にとっては、加入者を獲得しやすという利点があるとともに、加入者Ｕなどの対象の加入者宛の呼については、第２の呼処理装置（２ｂ）から第１の呼処理装置（２ｃ）を使用するように切り替える上で、端末装置４ｂなどの使用ができない期間が生じないので、Ｂ網の加入者の増加に応じて、呼処理装置を増加すればよく、当初から多数の呼処理装置を設ける必要がなく、初期投資コストを低減できる。
【００７３】
なお、加入者系ＳＩＰサーバ２ｂ、２ｃとしてコンピュータを機能させるためのコンピュータプログラムは、半導体メモリ、磁気ディスク、光ディスク、光磁気ディスク、磁気テープなどのコンピュータ読み取り可能な記録媒体に格納し、陳列などして流通させたり、当該コンピュータプログラムをインターネットなどの通信網を介して伝送させてもよい。
【符号の説明】
【００７４】
１…中継系ＳＩＰサーバ
２ａ、２ｂ、２ｃ…加入者系ＳＩＰサーバ
３ａ、３ｂ…加入者収容ルータ
４ａ，４ｂ…端末装置
２１…受信部
２２…送信部
２３…加入者データ記憶部
【図１】
2011041151.tif 000003
【図２】
2011041151.tif 000004
【図３】
2011041151.tif 000005
【図４】
2011041151.tif 000006